(57)【特許請求の範囲】
【請求項１】
前後方向に長い筒状の本体ケース（１）の前端に吐出口（２）を、本体ケース（１）の後端に吸込口（４）をそれぞれ有し、本体ケース（１）に内蔵のファン（１４）で吸込口（４）から風を吸い込んで吐出口（２）から吐出するヘアードライヤにおいて、
前記ファン（１４）の外周を囲むファンケース（１７）を有し、このファンケース（１７）が、本体ケース（１）の内部に嵌合されていること、
本体ケース（１）の吸込口（４）の内周に、ファンケース（１７）の後端面を覆う内向きフランジ（１９）が内向きに張り出し形成されていること、
本体ケース（１）の吸込口（４）の内部に、ベルマウス型の吸込口リング（２１）が嵌め込まれていること、
吸込口リング（２１）は、後方へ広がり状のテーパ筒部（２１ａ）と、該テーパ筒部（２１ａ）の縮径側の前端から前方へ延設した直筒部（２１ｂ）と、テーパ筒部（２１ａ）の拡径側の後端外周から前方へ張り出す前向きフランジ（２３）とを含み、これらテーパ筒部（２１ａ）および直筒部（２１ｂ）の内側に、風を本体ケース（１）の内部に吸い込むための主吸込流路（２２）が形成されていること、
吸込口リング（２１）の直筒部（２１ｂ）の外径は、内向きフランジ（１９）の内径およびファンケース（１７）の内径よりも小さく設定されていること、
吸込口リング（２１）を本体ケース（１）の吸込口（４）に嵌め込んだ状態において、吸込口リング（２１）の外面と吸込口（４）の内周との間に、主吸込流路（２２）から風を吸い込む際の負圧で風を本体ケース（１）の内部に吸い込む副吸込流路（３７）が形成されていること、
前記副吸込流路（３７）が、本体ケース（１）の外部に連通する径方向流路（３３）と、該径方向流路（３３）の内端から屈曲路（３５）を介して前記ファン（１４）の後方へ連通する軸方向流路（３４）とを含むこと、
径方向流路（３３）は、吸込口リング（２１）の前向きフランジ（２３）の前端面と、本体ケース（１）の後端面との間に形成されていること、
軸方向流路（３４）は、前記内向きフランジ（１９）の内周およびファンケース（１７）の後端内周と、吸込口リング（２１）の直筒部（２１ｂ）の外周との間に形成されていることを特徴とするヘアードライヤ。
【請求項２】
前記径方向流路（３３）と前記軸方向流路（３４）とが交わる前記屈曲路（３５）が、吸込口リング（２１）のテーパ筒部（２１ａ）の外面の円弧面（３６）に沿うように形成されている請求項１記載のヘアードライヤ。
【請求項３】
前記吸込口リング（２１）の外周に外リング（２４）を有し、この外リング（２４）は吸込口リング（２１）の外周から円周方向に所定間隔をおいて放射状に突設した複数のリブ（２５）で吸込口リング（２１）の外周と一体につながれており、
相隣る前記リブ（２５）・（２５）間には透孔（２６）が前後方向に貫通状に形成され、この透孔（２６）は前記径方向流路（３３）の外側開口端に連通されており、
前記吸込口リング（２１）の外周と外リング（２４）の内周との間でかつ前記リブ（２５）の後側に、凹溝（２７）が各リブ（２５）の後側で狭い溝幅（ｗ1 ）に、かつ各透孔（２６）の後側で広い溝幅（ｗ2 ）に全周にわたって形成されており、
前記吸込口リング（２１）の外側に吸込口グリル（３０）を被せ、この吸込口グリル（３０）の外周には前記凹溝（２７）の狭い溝幅（ｗ1 ）とほぼ同じ肉厚の前向きフランジ（３０ｂ）を設け、この前向きフランジ（３０ｂ）を前記凹溝（２７）に嵌合してある請求項１又は２記載のヘアードライヤ。
【請求項４】
前記前向きフランジ（３０ｂ）の前端から複数の係合爪（３０ｃ）を突設しており、この係合爪（３０ｃ）を前記透孔（２６）に挿入して吸込口リング（２１）の外周にかしめ付けている請求項３記載のヘアードライヤ。
【発明の詳細な説明】
【０００１】
【発明の属する技術分野】
本発明は、吸込口部分に特徴を有するヘアードライヤに関する。
【０００２】
【従来の技術】
ヘアードライヤの吸込口にベルマウス型の吸込口リングを嵌め込み、この吸込口リングの広がり斜面を利用してファンによる空気吸込みの円滑化を図ったものがある（例えば、特開昭６１−９８２０６号公報）。
【０００３】
【発明が解決しようとする課題】
しかし、上記した従来例のものではファンの後側と吸込口リングとの間でファンにより吸い込まれた風の渦が発生しやすく、これが原因で騒音が出ていた。
【０００４】
本発明の目的は、こうした問題を解消するためになされたもので、ベルマウス型の吸込口リングが嵌め込まれる吸込口部分の構造を改善することにより騒音防止を図ることのできるヘアードライヤを提供するにある。
【０００５】
【課題を解決するための手段】
本発明は、図１に例示するように、前端に吐出口２を、後端に吸込口４をそれぞれ開口し、かつファン１４を内蔵した筒状の本体ケース１を有し、本体ケース１の吸込口４の内部に、後方広がりの主吸込流路２２を有するベルマウス型の吸込口リング２１が嵌め込まれているヘアードライヤにおいて、本体ケース１の吸込口４の内周と吸込口リング２１の外面との間に、副吸込流路３７を形成する。
副吸込流路３７は、本体ケース１の外部と連通する径方向流路３３と該径方向流路３３の内端から屈曲路３５を介して前記ファン１４の後方へ連通する軸方向流路３４とからなり、屈曲路３５が吸込口リング２１の外面に形成した円弧面３６に沿うように形成されていることを特徴とする。
【０００６】
上記ファン１４はこれの外周をファンケース１７で囲まれ、該ファンケース１７は本体ケース１の内部に挿入嵌合される。本体ケース１の吸込口４の内周に、前記ファンケース１７の後端面を覆う内向きフランジ１９が形成される。上記径方向流路３３は内向きフランジ１９の後端面とこれに対向する吸込口リング２１の外面との間に形成される。上記軸方向流路３４は内向きフランジ１９の内周面およびファンケース１７の後端側の内周面と、これらと対向する吸込口リング２１の外面との間に形成される。
【０００７】
上記吸込口リング２１はこれの外周に外リング２４を有し、この外リング２４は吸込口リング２１の外周から円周方向に所定間隔をおいて放射状に突設した複数のリブ２５で吸込口リング２１の外周と一体につながれる。相隣る前記リブ２５・２５間には透孔２６が前後方向に貫通状に形成され、この透孔２６は前記径方向流路３３の外側開口端に連通される。吸込口リング２１の外周と外リング２４の内周との間でかつ前記リブ２５の後側に、凹溝２７が各リブ２５の後側で狭い溝幅ｗ1 に、かつ各透孔２６の後側で広い溝幅ｗ2 で全周にわたって形成される。吸込口リング２１の外側には吸込口グリル３０を被せ、この吸込口グリル３０の外周に前記凹溝２７の狭い溝幅ｗ1 とほぼ同じ肉厚の前向きフランジ３０ｂを設け、この前向きフランジ３０ｂを前記凹溝２７に嵌合する。
上記前向きフランジ３０ｂの前端から複数の係合爪３０ｃを突設し、この係合爪３０ｃを前記透孔２６に挿入して吸込口リング２１の外周にかしめ付ける。
【０００８】
【作用】
ファン１４の回転により吸込口リング２１の内側の主吸込流路２２から風が吸い込まれ、同時に、その時に負圧となる副吸込流路３７からは風が急速に吸い込まれて、ファン１４の後側と吸込口リング２１の縮径側端部との間を風が一様に流れる。その流れによりファン１４の後側と吸込口リング２１の縮径側端部との間に渦が発生するのを抑制できる。その際、副吸込流路３７に吸い込まれる風は吸込口リング２１の外面の円弧面３６に沿う屈曲路３５を抵抗少なくスムーズに流れる。
【０００９】
吸込口４の内周に形成された内向きフランジ１９は径方向流路３３を凹凸の無い平滑な流路に形成することができ、吸込み風の流れをスムーズにする。また内向きフランジ１９はファンケース１７が後方へずれることのないように位置決め固定する機能をも発揮する。
【００１０】
吸込口リング２１と外リング２４との間に形成される凹溝２７は、各リブ２５の後側で狭い溝幅ｗ1 に、各透孔２６の後側で広い溝幅ｗ2 に形成してある。従って、凹溝２７の狭い溝幅ｗ1 部分では吸込口グリル３０の前向きフランジ３０ｂを点接触状態で挟持固定できる。凹溝２７の広い溝幅ｗ2 部分では外リング２４の内周と前向きフランジ３０ｂの外周との間に、吸込口リング２１の後方外部と透孔２６とを連通する空隙が形成され、この空隙、および透孔２６から径方向流路３３に風が吸い込まれる。
【００１１】
【発明の実施の形態】
（第１実施例）
本発明に係るヘアードライヤの第１実施例を図１ないし図５に基づき説明する。図１において、前後方向に長い筒状の本体ケース１はその前端に吐出口２を有する前ケース３と、その後端に吸込口４を有する後ケース５とからなる。後ケース５はこれの後端部５ａが前ケース３の後端３ａより少し後方へ突出するように前ケース３の後端部の内周に嵌め込み固定される。前ケース３の後端側の外周下部と後ケース５の外周下部にそれぞれ突設したハンドル保持ボス６・７に、ハンドル９が軸１０まわりに折り畳み回動可能に枢支連結される。
【００１２】
本体ケース１の内部には前から順にヒータ１１、モータ１２、該モータ１２の軸１３上に固定したファン１４を配置してなる。モータ１２は軸１３を突出する側の後端部がプラスチック製の筒形のモータ保持ケース１５に内嵌固定される。
モータ保持ケース１５の外周には整流翼１６が放射状に一体形成されるとともに、整流翼１６の外周から後方へファンケース１７がファン１４の外周を囲むように一体に形成されている。ファンケース１７は後ケース５の内周にこれの前方から嵌合される。その際、ファンケース１７が後ケース５の吸込口４から後方へ出っ張ることのないように後ケース５の後端には内向きフランジ１９を内向きに張り出し形成しており、この内向きフランジ１９にファンケース１７の後端面を当接させる。後ケース５の内周からの内向きフランジ１９の張出量はファンケース１７の板厚以下に設定している。
【００１３】
ファン１４の外周をファンケース１７を介して囲む位置にある後ケース５と、前ケース３との重合面間には図柄などの装飾印刷を施した装飾シート２０を介在させる。この場合、前ケース３としては透明または半透明のプラスチック材で形成することで装飾シート２０に施された装飾印刷を外部から透視できるようにする。装飾シート２０は当該箇所に配置することにより、ヒータ１１の位置から離れているので、装飾シート２０の材料として殊更、断熱材を使用しなくて済み、また装飾シート２０はファン１４を囲むため、遮音効果をも期することができる。
【００１４】
吸込口４にはベルマウス型のプラスチック製の吸込口リング２１が嵌め込まれる。図３および図４に示すように、吸込口リング２１は後方へ広がり状のテーパ筒部２１ａと、該テーパ筒部２１ａの縮径側の前端から前方へ真っ直ぐに延設した直筒部２１ｂとからなり、これらテーパ筒部２１ａおよび直筒部２１ｂの内側に主吸込流路２２を形成している。直筒部２１ｂの外径は上記内向きフランジ１９の内径およびファンケース１７の内径よりも小さく設定する。
テーパ筒部２１ａはこれの拡径側の後端外周から前方へ張り出す前向きフランジ２３を有し、この前向きフランジ２３の外周に外リング２４が一体に形成される。外リング２４は前向きフランジ２３の外周から円周方向に所定間隔をおいて放射状に突設した複数のリブ２５で吸込口リング２１の外周と一体につながれる。相隣る前記リブ２５・２５間には透孔２６が形成される。前向きフランジ２３の外周と外リング２４の内周との間でかつ前記リブ２５の後側に、凹溝２７がその全周にわたって形成されるが、この凹溝２７内の各リブ２５の後方箇所ではその溝幅ｗ1 が狭く、各透孔２６の後方箇所ではその溝幅ｗ2 が広く形成される。
外リング２４の内径は後ケース５の後端の外径とほぼ同じ寸法に設定する。
【００１５】
吸込口リング２１が吸込口４に嵌め込まれる前に、予め吸込口リング２１に吸込口グリル３０が取り付けられる。図５に示すように、吸込口グリル３０はパンチングメタルなどからなって多数の小さい吸込孔３１を縦横に列設しており、吸込口リング２１の拡径側の後端開口部を覆う断面円弧形状の主面部３０ａと、この主面部３０ａの外周端から前方へ張り出し形成した前向きフランジ３０ｂ、および前向きフランジ３０ｂの前端の円周上の数カ所から更に前方へ突設した係合爪３０ｃとを有する。それら前向きフランジ３０ｂおよび係合爪３０ｃの肉厚は上記凹溝２７内の各リブ２５の後方箇所での狭い溝幅ｗ1 とほぼ同じ寸法に設定する。
【００１６】
この吸込口グリル３０の取り付けに際しては、図２に示すように、主面部３０ａを吸込口リング２１のテーパ筒部２１ａの拡径側の後端開口部にこれの後方から被せ、前向きフランジ３０ｂを凹溝２７内に嵌合させ、係合爪３０ｃを任意の透孔２６内に挿入し、該係合爪３０ｃの先端を直角に折り曲げて吸込口リング２１の前向きフランジ２３の前端に係合させることにより、吸込口リング２１に吸込口グリル３０がかしめ付けられる。その際、前述したように凹溝２７内の各リブ２５の後方箇所ではその溝幅ｗ1 が狭く形成されているので、吸込口グリル３０の前向きフランジ３０ｂは吸込口リング２１の前向きフランジ２３の外周と外リング２４の内周との間で挟持固定され、凹溝２７内の各透孔２６の後方箇所ではその溝幅ｗ2 が広く形成されているので、吸込口グリル３０の前向きフランジ３０ｂの外面と外リング２４の内周との間に、吸込口グリル３０の後方外部と透孔２６とを連通する空隙が形成される。
【００１７】
次いで、このように吸込口グリル３０を付けた吸込口リング２１は吸込口４に嵌め込むのであるが、その際、図１および図２に示すように、吸込口リング２１の外リング２４の前端面が前ケース３の後端３ａの端面に当接するまで外リング２４を後ケース５の後端部５ａの外周に嵌合して固定させる。すると、吸込口リング２１の前向きフランジ２３の前端面と後ケース５の後端面との間に、径方向流路３３が形成され、後ケース５の内向きフランジ１９の内周およびファンケース１７の後端内周と、吸込口リング２１の直筒部２１ｂの外周との間に軸方向流路３４が形成され、これら径方向流路３３と軸方向流路３４とが交わる屈曲路３５は吸込口リング２１のテーパ筒部２１ａの外面の円弧面３６と一致するように設定してある。従って、径方向流路３３と軸方向流路３４とはテーパ筒部２１ａの外面の円弧面３６に沿う形の屈曲路３５を介して交わる。これら径方向流路３３、軸方向流路３４および屈曲路３５により副吸込流路３７が吸込口リング２１の外面と吸込口４の内周との間に形成される。
【００１８】
しかるときは、ファン１４が回転すると、吸込口グリル３０の吸込孔３１および吸込口リング２１の内側の主吸込流路２２から風が吸い込まれる。同時に、その時に負圧となる副吸込流路３７の径方向流路３３、屈曲路３５および軸方向流路３４からは風が急速に吸い込まれて、ファン１４の後側と吸込口リング２１の縮径側端部との間を風が一様に流れるため、ファン１４の後側と吸込口リング２１の縮径側端部との間に渦が発生するのを抑制できる。その際、副吸込流路３７に吸い込まれる風は吸込口リング２１の外面の円弧面３６に沿う屈曲路３５を抵抗少なくスムーズに流れる。なお、このとき、後ケース５の内向きフランジ１９の内周面と後端面の交わる角にもアール１９ａ（図１参照）を付けておくと、吸込み風をより一層スムーズに流すことができる。
【００１９】
副吸込流路３７において、径方向流路３３は後ケース５の内向きフランジ１９の後端面によって凹凸の無い平滑な流路に形成することができ、風の流れをスムーズにする。また軸方向流路３４も、内向きフランジ１９の内周面およびファンケース１７の後端内周面と、吸込口リング２１の直筒部２１ｂの外面との間に凹凸の無い平滑な流路に形成することができ、風の流れをスムーズにする。
内向きフランジ１９はファンケース１７が後方へずれることのないように位置決め固定する機能をも発揮する。
【００２０】
（第２実施例）
上記実施例では前後に二分割する型の前ケース３と後ケース５とで本体ケース１を構成するが、これに代えて図６のように、外リング２４が嵌合固定される後端部５ａおよび内向きフランジ１９を有するように上記前ケース３と後ケース５とを一体に形成した形の本体ケース１であってもよい。この場合は、ファンケース１７の組込みを容易にするためにその本体ケース１は左右に半割り型にすることが好ましい。その他の構成は第１実施例のものと同様である。
【００２１】
（第３実施例）
上記実施例では、副吸込流路３７の径方向流路３３の外側開口端を、外リング２４の内周と吸込口リング２１の外周との間の凹溝２７および透孔２６に連通させてあるが、これに代えて図７のように本体ケース１の後端部１ａを吸込口リング２１の外周を囲むように後方へ延出させる形に形成し、この後端部１ａに設ける孔４０と径方向流路３３の外側開口端とが連通するようにすることもできる。その他の構成は第１実施例のものと同様である。
【００２２】
【発明の効果】
本発明によれば、本体ケース１の吸込口４の内周と吸込口リング２１の外面との間に、吸込口リング２１の主吸込流路２２から風が吸い込まれると同時に、風を急速に吸い込む副吸込流路３７を形成した。したがって、ファン１４の後側と吸込口リング２１の縮径側端部との間に渦が発生するのを抑制でき、騒音を低減できる。とくに、副吸込流路３７に吸い込まれる風は吸込口リング２１の外面の円弧面３６に沿う屈曲路３５を抵抗少なくスムーズに流すことができ、渦発生の抑制効果を一層高めることができる。
【００２３】
吸込口４の内周に形成された内向きフランジ１９は、径方向流路３３を凹凸の無い平滑な流路に形成して吸込み風をスムーズに流すことできるとともに、ファンケース１７が後方へずれるのを規制する位置決め固定機能を兼備することができる。
吸込口リング２１と外リング２４との間に形成される凹溝２７の狭い溝幅Ｗ1 部分では吸込口グリル３０の前向きフランジ３０ｂを挟持固定でき、とくに全周にわたって点接触状態で前向きフランジ３０ｂを挟持固定することになるので、前向きフランジ３０ｂがたとえ波状に変形していても、その誤差を吸収することができ、その取り付けの際こじれることなく確実かつ容易に取り付けられる。また凹溝２７の広い溝幅Ｗ2 部分は吸込口リング２１の後方外部と透孔２６との連通路に兼用できる。前向きフランジ３０ｂの係合爪３０ｃは透孔２６を利用してかしめるので、該係合爪３０ｃを通すための孔を特別に設ける必要が無くなり、それだけ構造を簡単にすることができる。
【図面の簡単な説明】
【図１】第１実施例のヘアードライヤの縦断側面図である。
【図２】第１実施例のヘアードライヤの吸込口部分の拡大断面図である。
【図３】第１実施例のヘアードライヤの吸込リングを拡径側から見た背面図である。
【図４】図３におけるＡ−Ａ線断面図である。
【図５】第１実施例のヘアードライヤの吸込口グリルを一部破断状態で示す側面図である。
【図６】第２実施例のヘアードライヤの一部の拡大断面図である。
【図７】第３実施例のヘアードライヤの一部の拡大断面図である。
【符号の説明】
１  本体ケース
２  吐出口
４  吸込口
１４  ファン
１７  ファンケース
１９  内向きフランジ
２１  吸込口リング
２２  主吸込流路
２４  外リング
２５  リブ
２６  透孔
２７  凹溝
３０  吸込口グリル
３０ｂ  前向きフランジ
３０ｃ  係合爪
３３  径方向流路
３４  軸方向流路
３５  屈曲路
３６  円弧面
３７  副吸込流路
【図１】
0003703112.tif 000002
【図２】
0003703112.tif 000003
【図３】
0003703112.tif 000004
【図４】
0003703112.tif 000005
【図５】
0003703112.tif 000006
【図６】
0003703112.tif 000007
【図７】
0003703112.tif 000008